(57)【特許請求の範囲】
【請求項１】
通信端末のユーザに関する加入者情報を分割して記憶する複数の通信制御装置を備え、各通信制御装置に記憶された被分割加入者情報に基づいて、発信端末と着信端末とを通信接続するための呼制御を実行する呼制御システムであって、
前記複数の通信制御装置のそれぞれにおいて、前記被分割加入者情報と、該被分割加入者情報が他の通信制御装置に記憶されている被分割加入者情報と同期しているか否かを示すフラグ情報とを関連付けて記憶する記憶手段と、
前記複数の通信制御装置のうち一の通信制御装置が再起動した場合に、前記記憶手段により前記複数の通信制御装置のそれぞれに記憶されたフラグ情報を非同期状態であることを示す情報に更新する第１更新手段と、
発信端末から着信要求信号を受け付けた場合に、該着信要求信号に含まれる着信端末情報に対応する被分割加入者情報が同期しているか否かを、該被分割加入者情報と関連付けられているフラグ情報に基づいて判定する判定手段と、
前記判定手段により前記着信端末情報に対応する被分割加入者情報が同期していないと判定された場合に、該着信端末情報で示される着信端末の加入者情報を再取得する再取得手段と、
前記複数の通信制御装置のそれぞれにおいて、前記再取得手段により取得された加入者情報に基づいて前記着信端末に対応する被分割加入者情報を更新すると共に、該被分割加入者情報に対応するフラグ情報を同期状態であることを示す情報に更新する第２更新手段と、
を備えることを特徴とする呼制御システム。
【請求項２】
前記第２更新手段により更新された各被分割加入者情報に基づいて、前記発信端末と前記着信端末とを通信接続するための呼制御を実行する呼制御手段を更に備えることを特徴とする請求項１に記載の呼制御システム。
【請求項３】
前記再取得手段が、前記着信端末及び該着信端末が在圏するアクセスネットワークにアクセスすることなく、前記複数の通信制御装置を備えるコアネットワーク内に記憶されている前記加入者情報を再取得する、
ことを特徴とする請求項１又は２に記載の呼制御システム。
【請求項４】
通信端末のユーザに関する加入者情報を他の通信制御装置と分割して記憶し、被分割加入者情報に基づいて、発信端末と着信端末とを通信接続するための呼制御を実行する通信制御装置であって、
前記被分割加入者情報と、該被分割加入者情報が前記他の通信制御装置に記憶されている被分割加入者情報と同期しているか否かを示すフラグ情報とを関連付けて記憶する記憶手段と、
前記通信制御装置又は前記他の通信制御装置が再起動した場合に、前記記憶手段に記憶されているフラグ情報を非同期状態であることを示す情報に更新する第１更新手段と、
発信端末からの着信要求信号を受信する受信手段と、
前記受信手段により受信された該着信要求信号に含まれる着信端末情報に対応する被分割加入者情報が同期しているか否かを、該被分割加入者情報と関連付けられているフラグ情報に基づいて判定する判定手段と、
前記判定手段により前記着信端末情報に対応する被分割加入者情報が同期していないと判定された場合に、該着信端末情報で示される着信端末の加入者情報を再取得する再取得手段と、
前記再取得手段により取得された加入者情報に基づいて前記着信端末に対応する被分割加入者情報を更新すると共に、該被分割加入者情報に対応するフラグ情報を同期状態であることを示す情報に更新する第２更新手段と、
を備えることを特徴とする通信制御装置。
【請求項５】
通信端末のユーザに関する加入者情報を他の通信制御装置と分割して記憶し、被分割加入者情報に基づいて、発信端末と着信端末とを通信接続するための呼制御を実行する通信制御装置であって、
前記被分割加入者情報と、該被分割加入者情報が前記他の通信制御装置に記憶されている被分割加入者情報と同期しているか否かを示すフラグ情報とを関連付けて記憶する記憶手段と、
前記通信制御装置又は前記他の通信制御装置が再起動した場合に、前記記憶手段に記憶されているフラグ情報を非同期状態であることを示す情報に更新する第１更新手段と、
発信端末から着信要求信号を受け付けた他の通信制御装置により該着信要求信号に含まれる着信端末情報に対応する被分割加入者情報が同期していないと判定された場合に、該着信端末情報で示される着信端末の加入者情報を再取得する再取得手段と、
前記再取得手段により取得された加入者情報に基づいて前記着信端末に対応する被分割加入者情報を更新すると共に、該被分割加入者情報に対応するフラグ情報を同期状態であることを示す情報に更新する第２更新手段と、
を備えることを特徴とする通信制御装置。
【請求項６】
通信端末のユーザに関する加入者情報を分割して記憶する複数の通信制御装置を備え、各通信制御装置に記憶された被分割加入者情報に基づいて、発信端末と着信端末とを通信接続するための呼制御を実行する呼制御システム、における呼制御方法であって、
前記複数の通信制御装置のそれぞれにおいて、前記被分割加入者情報と、該被分割加入者情報が他の通信制御装置に記憶されている被分割加入者情報と同期しているか否かを示すフラグ情報とを関連付けて記憶する記憶ステップと、
前記複数の通信制御装置のうち一の通信制御装置が再起動した場合に、前記記憶ステップにおいて前記複数の通信制御装置のそれぞれに記憶されたフラグ情報を非同期状態であることを示す情報に更新する第１更新ステップと、
発信端末から着信要求信号を受け付けた場合に、該着信要求信号に含まれる着信端末情報に対応する被分割加入者情報が同期しているか否かを、該被分割加入者情報と関連付けられているフラグ情報に基づいて判定する判定ステップと、
前記判定ステップにおいて前記着信端末情報に対応する被分割加入者情報が同期していないと判定された場合に、該着信端末情報で示される着信端末の加入者情報を再取得する再取得ステップと、
前記複数の通信制御装置のそれぞれにおいて、前記再取得ステップにおいて取得された加入者情報に基づいて前記着信端末に対応する被分割加入者情報を更新すると共に、該被分割加入者情報に対応するフラグ情報を同期状態であることを示す情報に更新する第２更新ステップと、
を含むことを特徴とする呼制御方法。
【発明の詳細な説明】
【技術分野】
【０００１】
本発明は、複数の通信制御装置に分散配置された加入者情報を用いて呼制御を行う呼制御システム、通信制御装置及び呼制御方法に関するものである。
【背景技術】
【０００２】
従来の第三世代回線交換ネットワーク（３Ｇ−ＣＳネットワーク）では、加入者データベースに相当するＨＬＲ（Home Location Register）が移動通信端末の位置情報を含む加入者情報を記憶し、呼制御を行う交換機がＨＬＲに記憶されている加入者情報のコピーを自機内のＶＬＲ（Visitor Location Register）に記憶する。交換機は、ＶＬＲ内の加入者情報に基づいて移動通信端末同士を通信接続するための呼制御を実行する。
【０００３】
交換機が障害発生やメンテナンス作業などにより再起動した場合、ＶＬＲに記憶された加入者情報が消失する場合がある。ＶＬＲ内の加入者情報が消失している状態でその交換機が管理するネットワークに在圏する移動通信端末に対して着信要求（呼確立要求）信号が発信されると、交換機はまずＨＬＲから加入者情報を取得し、取得した加入者情報に基づいて着信処理（呼出処理）を実行する。これにより、ＶＬＲ上の加入者情報を復旧しつつ着信処理を救済することが可能になる。
【０００４】
一方、最近では、移動体通信網のコアネットワーク技術としてＩＭＳ（IP Multimedia Subsystem）ネットワークが整備されようとしている。ＩＭＳネットワークは、ＳＩＰ（Session Initiated Protocol）という通信プロトコルを用い、データ通信だけでなく音声や動画のリアルタイム通信を実現するマルチメディアサービスを提供できるネットワークである。下記特許文献１には、ＩＭＳネットワークを備える移動通信システムが記載されている。
【０００５】
ＩＭＳネットワークでは、３Ｇ−ＣＳネットワークの交換機の機能をＣＳＣＦ（Call/Session Control Function）、ＡＳ（Application Server）及びゲートウェイノード（CS-GW）という複数の通信制御装置で分散処理する。加入者情報はＨＬＲと同様の機能を有するＨＳＳ（Home Subscriber Server）に記憶される。ＣＳＣＦは呼又はセッションを設定したり所定のサービスを起動したりする。ＡＳは留守番電話サービスなどの各種サービスの実行の可否を判定する。ゲートウェイノードは、コアネットワークであるＩＭＳネットワークと、移動通信端末が在圏するアクセスネットワーク（例えば第三世代無線ネットワーク）とを接続する。これらＣＳＣＦ、ＡＳ及びゲートウェイノードはそれぞれＶＬＲを備え、ＨＳＳに記憶されている加入者情報のコピーを分散して記憶する。
【特許文献１】特開２００７−６０１８１号公報
【発明の開示】
【発明が解決しようとする課題】
【０００６】
ＩＭＳネットワークにおいても、３Ｇ−ＣＳネットワークと同様に、ＣＳＣＦ、ＡＳ又はゲートウェイノードが再起動し、再起動した装置内のＶＬＲから加入者情報が消失することが起こり得る。このとき、再起動した装置が、加入者情報を復旧させるために、従来の３Ｇ−ＣＳネットワークの手法と同様にＨＳＳから加入者情報の一部を取得すると、他の通信制御装置との間で加入者情報の不整合が発生し、着信処理時に想定できない異常が発生することが考えられる。
【０００７】
本発明は、上記課題を解決するためになされたものであり、複数の通信制御装置に分散配置された加入者情報を、その整合性を取りつつ復旧することが可能な呼制御システム、通信制御装置及び呼制御方法を提供することを目的とする。
【課題を解決するための手段】
【０００８】
本発明の呼制御システムは、通信端末のユーザに関する加入者情報を分割して記憶する複数の通信制御装置を備え、各通信制御装置に記憶された被分割加入者情報に基づいて、発信端末と着信端末とを通信接続するための呼制御を実行する呼制御システムであって、複数の通信制御装置のそれぞれにおいて、被分割加入者情報と、該被分割加入者情報が他の通信制御装置に記憶されている被分割加入者情報と同期しているか否かを示すフラグ情報とを関連付けて記憶する記憶手段と、複数の通信制御装置のうち一の通信制御装置が再起動した場合に、記憶手段により複数の通信制御装置のそれぞれに記憶されたフラグ情報を非同期状態であることを示す情報に更新する第１更新手段と、発信端末から着信要求信号を受け付けた場合に、該着信要求信号に含まれる着信端末情報に対応する被分割加入者情報が同期しているか否かを、該被分割加入者情報と関連付けられているフラグ情報に基づいて判定する判定手段と、判定手段により着信端末情報に対応する被分割加入者情報が同期していないと判定された場合に、該着信端末情報で示される着信端末の加入者情報を再取得する再取得手段と、複数の通信制御装置のそれぞれにおいて、再取得手段により取得された加入者情報に基づいて着信端末に対応する被分割加入者情報を更新すると共に、該被分割加入者情報に対応するフラグ情報を同期状態であることを示す情報に更新する第２更新手段と、を備えることを特徴とする。
【０００９】
また、本発明の呼制御方法は、通信端末のユーザに関する加入者情報を分割して記憶する複数の通信制御装置を備え、各通信制御装置に記憶された被分割加入者情報に基づいて、発信端末と着信端末とを通信接続するための呼制御を実行する呼制御システム、における呼制御方法であって、複数の通信制御装置のそれぞれにおいて、被分割加入者情報と、該被分割加入者情報が他の通信制御装置に記憶されている被分割加入者情報と同期しているか否かを示すフラグ情報とを関連付けて記憶する記憶ステップと、複数の通信制御装置のうち一の通信制御装置が再起動した場合に、記憶ステップにおいて複数の通信制御装置のそれぞれに記憶されたフラグ情報を非同期状態であることを示す情報に更新する第１更新ステップと、発信端末から着信要求信号を受け付けた場合に、該着信要求信号に含まれる着信端末情報に対応する被分割加入者情報が同期しているか否かを、該被分割加入者情報と関連付けられているフラグ情報に基づいて判定する判定ステップと、判定ステップにおいて着信端末情報に対応する被分割加入者情報が同期していないと判定された場合に、該着信端末情報で示される着信端末の加入者情報を再取得する再取得ステップと、複数の通信制御装置のそれぞれにおいて、再取得ステップにおいて取得された加入者情報に基づいて着信端末に対応する被分割加入者情報を更新すると共に、該被分割加入者情報に対応するフラグ情報を同期状態であることを示す情報に更新する第２更新ステップと、を含むことを特徴とする。
【００１０】
このような呼制御システム及び呼制御方法によれば、複数の通信制御装置のそれぞれにおいて、被分割加入者情報と、該被分割加入者情報が同期状態であるか否かを示すフラグ情報とが関連付けられて記憶される。そして、一の通信制御装置が再起動すると、複数の制御装置のそれぞれに記憶されているフラグ情報が非同期状態を示す情報に更新される。その後、発信端末から着信要求信号を受け付けると、着信端末に対応する被分割加入者情報が通信制御装置間で同期しているか否かが判定され、その情報が同期していない場合には、各通信制御装置において、新たに取得された着信端末の加入者情報に基づいて被分割加入者情報が更新されるとともにフラグ情報が同期状態を示す情報に更新される。このように、着信要求信号を受信した際に被分割加入者情報の整合性を検査し、整合性が取れていなければ最新の加入者情報ですべての被分割加入者情報を更新し、更に整合性を保証することで、分散配置された加入者情報を、その整合性を取りつつ復旧することが可能になる。
【００１１】
本発明の呼制御システムでは、第２更新手段により更新された各被分割加入者情報に基づいて、発信端末と着信端末とを通信接続するための呼制御を実行する呼制御手段を更に備えることが好ましい。
【００１２】
この場合、被分割加入者情報の同期が取れて初めて呼制御が実行されるので、加入者情報を復旧するだけでなく、更に着信要求を救済すること（呼損を回避すること）が可能になる。
【００１３】
本発明の呼制御システムでは、再取得手段が、着信端末及び該着信端末が在圏するアクセスネットワークにアクセスすることなく、複数の通信制御装置を備えるコアネットワーク内に記憶されている加入者情報を再取得することが好ましい。
【００１４】
この場合、加入者情報の再取得が複数の通信制御装置を備えるコアネットワーク内の通信のみで実行されるので、より短時間で加入者情報を復旧することが可能になる。
【００１５】
本発明の通信制御装置は、通信端末のユーザに関する加入者情報を他の通信制御装置と分割して記憶し、被分割加入者情報に基づいて、発信端末と着信端末とを通信接続するための呼制御を実行する通信制御装置であって、被分割加入者情報と、該被分割加入者情報が他の通信制御装置に記憶されている被分割加入者情報と同期しているか否かを示すフラグ情報とを関連付けて記憶する記憶手段と、通信制御装置又は他の通信制御装置が再起動した場合に、記憶手段に記憶されているフラグ情報を非同期状態であることを示す情報に更新する第１更新手段と、発信端末からの着信要求信号を受信する受信手段と、受信手段により受信された該着信要求信号に含まれる着信端末情報に対応する被分割加入者情報が同期しているか否かを、該被分割加入者情報と関連付けられているフラグ情報に基づいて判定する判定手段と、判定手段により着信端末情報に対応する被分割加入者情報が同期していないと判定された場合に、該着信端末情報で示される着信端末の加入者情報を再取得する再取得手段と、再取得手段により取得された加入者情報に基づいて着信端末に対応する被分割加入者情報を更新すると共に、該被分割加入者情報に対応するフラグ情報を同期状態であることを示す情報に更新する第２更新手段と、を備えることを特徴とする。
【００１６】
このような通信制御装置によれば、被分割加入者情報と、該被分割加入者情報が同期状態であるか否かを示すフラグ情報とが関連付けられて記憶される。そして、通信制御装置又は他の通信制御装置が再起動すると、フラグ情報が非同期状態を示す情報に更新される。その後、発信端末からの着信要求信号が受信されると、着信端末に対応する被分割加入者情報が通信制御装置間で同期しているか否かが判定され、その情報が同期していない場合には、新たに取得された着信端末の加入者情報に基づいて被分割加入者情報が更新されるとともにフラグ情報が同期状態を示す情報に更新される。このように、着信要求信号を受信した際に被分割加入者情報の整合性を検査し、整合性が取れていなければ最新の加入者情報ですべての被分割加入者情報を更新し、更に整合性を保証することで、分散配置された加入者情報を、その整合性を取りつつ復旧することが可能になる。
【００１７】
また、本発明の通信制御装置は、通信端末のユーザに関する加入者情報を他の通信制御装置と分割して記憶し、被分割加入者情報に基づいて、発信端末と着信端末とを通信接続するための呼制御を実行する通信制御装置であって、被分割加入者情報と、該被分割加入者情報が他の通信制御装置に記憶されている被分割加入者情報と同期しているか否かを示すフラグ情報とを関連付けて記憶する記憶手段と、通信制御装置又は他の通信制御装置が再起動した場合に、記憶手段に記憶されているフラグ情報を非同期状態であることを示す情報に更新する第１更新手段と、発信端末から着信要求信号を受け付けた他の通信制御装置により該着信要求信号に含まれる着信端末情報に対応する被分割加入者情報が同期していないと判定された場合に、該着信端末情報で示される着信端末の加入者情報を再取得する再取得手段と、再取得手段により取得された加入者情報に基づいて着信端末に対応する被分割加入者情報を更新すると共に、該被分割加入者情報に対応するフラグ情報を同期状態であることを示す情報に更新する第２更新手段と、を備えることを特徴とする。
【００１８】
このような通信制御装置によれば、被分割加入者情報と、該被分割加入者情報が同期状態であるか否かを示すフラグ情報とが関連付けられて記憶される。そして、通信制御装置又は他の通信制御装置が再起動すると、フラグ情報が非同期状態を示す情報に更新される。その後、他の通信制御装置が発信端末から着信要求信号を受け付けると、着信端末に対応する被分割加入者情報が通信制御装置間で同期しているか否かが判定され、その情報が同期していない場合には、新たに取得された着信端末の加入者情報に基づいて被分割加入者情報が更新されるとともにフラグ情報が同期状態を示す情報に更新される。このように、着信要求信号を受信した際に被分割加入者情報の整合性を検査し、整合性が取れていなければ最新の加入者情報ですべての被分割加入者情報を更新し、更に整合性を保証することで、分散配置された加入者情報を、その整合性を取りつつ復旧することが可能になる。
【発明の効果】
【００１９】
このような呼制御システム、通信制御装置及び呼制御方法によれば、着信要求信号を受け付けた際にフラグ情報に基づいて加入者情報の同期状態を判定し、同期が取れていなければ最新の加入者情報ですべての被分割加入者情報を更新するので、分散配置された加入者情報を、その整合性を取りつつ復旧することが可能になる。
【発明を実施するための最良の形態】
【００２０】
以下、添付図面を参照しながら本発明の実施形態を詳細に説明する。なお、図面の説明において同一又は同等の要素には同一の符号を付し、重複する説明を省略する。
【００２１】
まず、図１及び２を用いて、実施形態に係る呼制御システム１の全体構成を説明する。図１は呼制御システム１の全体構成を示す図である。図２はプロファイル（加入者情報）の分散配置を示す図である。
【００２２】
呼制御システム１は、発信端末（携帯電話機）ＭＳと、発信端末ＭＳが在圏する発側ネットワーク（アクセスネットワーク）ＮＳと、着信端末（携帯電話機）ＭＲと、着信端末ＭＲが在圏する着側ネットワーク（アクセスネットワーク）ＮＲと、発側ネットワークＮＳと着側ネットワークＮＲとを接続するコアネットワークＮＣとを備えている。発側ネットワークＮＳ及び着側ネットワークＮＲは、共に第三世代無線ネットワークである。もっとも、アクセスネットワークの構成は限定されるものではない。
【００２３】
コアネットワークＮＣは、発側ゲートウェイ１０、加入者データベース（ＨＳＳ）２０、発側ＣＳＣＦ３０、着側ＣＳＣＦ４０、ＡＳ５０及び着側ゲートウェイ６０を備えている。
【００２４】
発側ゲートウェイ１０は、発側ネットワークＮＳと接続する通信制御装置である。発側ゲートウェイ１０は発信端末ＭＳから着信要求信号を受信して発側ＣＳＣＦ３０に送信する。着信要求信号は、着信先の着信端末ＭＲの識別情報であるユーザ識別子を含んでいる。
【００２５】
加入者データベース２０は、着信端末ＭＲのユーザに関するプロファイル（加入者情報）を記憶するデータベースサーバである。プロファイルはユーザ識別子により識別され、リミットプラス情報、暗証番号、ローミングアウト識別情報、認証情報、位置情報、ＡＳアドレス情報、ＣＳＣＦアドレス情報及びゲートウェイアドレス情報を含む情報である。プロファイルは、携帯電話機がＣＳＣＦに接続した際に、その時点の携帯電話機の位置情報に基づいて随時更新される。
【００２６】
プロファイルに含まれる情報について説明する。リミットプラス情報は、通話料上限額を設定している加入者の超過状態を示す情報である。暗証番号は、ユーザ操作に基づいて付加サービスの契約状態が変更される際にユーザが入力した暗証番号と照合するために記憶される情報である。ローミングアウト識別情報は、ユーザが海外のネットワークからアクセスしているか否かを示す情報である。認証情報は、携帯電話機がアクセスネットワークに接続する際のユーザ認証に必要な情報である。位置情報は、携帯電話機（ユーザ）の現在位置を示す情報である。ＡＳアドレス情報、ＣＳＣＦアドレス情報及びゲートウェイアドレス情報は、携帯電話機が現在利用しているＡＳ、ＣＳＣＦ及びゲートウェイのアドレスをそれぞれ示す情報である。
【００２７】
発側ＣＳＣＦ３０は発信端末ＭＳと着信端末ＭＲとを通信接続するために呼制御を実行する通信制御装置である。発側ＣＳＣＦ３０は受信した着信要求信号から着信端末ＭＲのユーザ識別子を抽出し、抽出したユーザ識別子を含むプロファイルを加入者データベース２０から取得する。続いて、発側ＣＳＣＦ３０は取得したプロファイルに含まれるＣＳＣＦアドレス情報に基づいて、着信要求信号を着側ＣＳＣＦ４０に出力する。
【００２８】
着側ＣＳＣＦ４０は、発信端末ＭＳと着信端末ＭＲとを通信接続するために呼制御を実行する通信制御装置である。着側ＣＳＣＦ４０は、加入者データベース２０に記憶されているプロファイルのうち、ユーザ識別子、ローミングアウト識別情報、位置情報、ＡＳアドレス情報及びゲートウェイ情報を記憶している。
【００２９】
発側ＣＳＣＦ３０から着信要求信号が受信されると、着側ＣＳＣＦ４０はその着信要求信号から着信端末ＭＲのユーザ識別子を抽出し、抽出したユーザ識別子と対応するＡＳアドレス情報を読み出す。続いて、着側ＣＳＣＦ４０は読み出したＡＳアドレス情報で示されるＡＳ５０に対して、着信端末ＭＲの通話サービスの実行の可否を問い合わせるための判定要求信号を送信する。続いて、着側ＣＳＣＦ４０はその判定要求信号に応じてＡＳ５０から送信されてきたサービス判定結果を取得し、発信端末ＭＳと着信端末ＭＲとの間に呼を確立できるか否かをその結果に基づいて判定する。そして、呼を確立できると判定した場合には、着側ＣＳＣＦ４０は着信端末ＭＲのユーザ識別子に対応するゲートウェイアドレス情報で示される着側ゲートウェイ６０に着信要求信号を転送する。
【００３０】
ＡＳ５０は、ネットワークを介して実行可能な各種サービスを提供する通信制御装置である。ＡＳ５０は、加入者データベースに記憶されているプロファイルのうち、ユーザ識別子、リミットプラス情報、暗証番号、ＣＳＣＦアドレス情報及びゲートウェイアドレス情報を記憶している。
【００３１】
ＡＳ５０は、着側ＣＳＣＦ４０から受信した判定要求信号に基づいて着信端末ＭＲのプロファイルを抽出し、着信端末ＭＲがどのようなサービスを実行可能かを示すサービス判定結果を抽出された情報に基づいて生成する。そして、ＡＳ５０はサービス判定結果を着側ＣＳＣＦ４０に送信する。
【００３２】
着側ゲートウェイ６０は、着側ネットワークＮＲと接続する通信制御装置である。着側ゲートウェイ６０は、加入者データベースに記憶されているプロファイルのうち、ユーザ識別子、認証情報、位置情報、ＡＳアドレス情報及びＣＳＣＦアドレス情報を記憶している。着側ゲートウェイ６０は着側ＣＳＣＦ４０から着信要求信号を受信し、その着信要求信号を着側ネットワークＮＲを介して着信端末ＭＲに送信する。これにより、着信端末ＭＲに対する着信処理（呼出処理）が完了する。
【００３３】
上述したように、着側ＣＳＣＦ４０、ＡＳ５０及び着側ゲートウェイ６０は、加入者データベースに記憶されているプロファイルを分割して記憶している。言い換えれば、各通信制御装置は被分割プロファイル（被分割加入者情報）を記憶する。各通信制御装置が記憶する情報を図２にまとめる。図２に示す表において、丸印はその情報が該当する装置に記憶されていることを示している。
【００３４】
続いて、図３〜５を用いて、図１に示す着側ＣＳＣＦ４０の機能構成を説明する。図３は着側ＣＳＣＦ４０の機能構成を示す図である。図４は着側ＣＳＣＦ４０のハードウェア構成を示す図である。図５は、被分割プロファイルの更新例を示す図である。
【００３５】
着側ＣＳＣＦ４０は、機能的構成要素としてＶＬＲ（記憶手段）４１、再起動検知部４２、通知受信部４３、第１更新部（第１更新手段）４４、着信要求受信部（受信手段）４５、判定部（判定手段）４６、位置取得部４７、第２更新部（再取得手段、第２更新手段）４８及び呼制御部（呼制御手段）４９を備えている。
【００３６】
着側ＣＳＣＦ４０は、図４に示すように、ＣＰＵ４０１と、ＲＯＭやＲＡＭで構成される主記憶部４０２と、ハードディスクなどで構成される補助記憶部４０３と、ＡＳ５０や着側ゲートウェイ６０などの他の通信機器との間で信号の送受信を行うための通信インタフェース４０４と、操作キーなどで構成される入力部４０５と、モニタなどで構成される出力部４０６とを備えている。図３に示す着側ＣＳＣＦ４０の各機能は、ＣＰＵ４０１又は主記憶部４０２上に所定のコンピュータソフトウェアを読み込ませ、ＣＰＵ４０１の制御の下で通信インタフェース４０４、入力部４０５及び出力部４０６を動作させるとともに、主記憶部４０２又は補助記憶部４０３に対してデータの読み出し又は書き込みを行うことで実現される。
【００３７】
ＶＬＲ４１は、被分割プロファイルと、この被分割プロファイルが他の通信制御装置に記憶されている被分割プロファイルと同期しているか否かを示すフラグ情報とを関連付けて記憶する手段である。フラグ情報には、「Confirmed」又は「Not Confirmed」のいずれかが設定される。値「Confirmed」は、被分割プロファイルが他の通信制御装置（ＡＳ５０及び着側ゲートウェイ６０）と同期している（同期状態である）ことを示す。一方、値「Not Confirmed」は被分割プロファイルが他の通信制御装置（ＡＳ５０及び着側ゲートウェイ６０）と同期していない（同期が保証されない非同期状態である）ことを示す。
【００３８】
再起動検知部４２は着側ＣＳＣＦ４０が再起動したことを通知する手段である。再起動検知部４２は、再起動を検知すると、再起動したことを示す再起動通知を生成して第１更新部４４に出力するとともに、ＡＳ５０及び着側ゲートウェイ６０にその再起動通知を送信する。ＡＳ５０及び着側ゲートウェイ６０に送信する再起動通知には、着側ＣＳＣＦ４０を識別するアドレス情報が含まれる。
【００３９】
通知受信部４３は、他の通信制御装置が再起動したことを示す再起動通知を該他の通信制御装置から受信する手段である。通知受信部４３は、ＡＳ５０又は着側ゲートウェイ６０から受信した再起動通知を第１更新部４４に出力する。
【００４０】
第１更新部４４は、複数の通信制御装置のうち一の通信制御装置が再起動した場合に、ＶＬＲ４１に記憶されているフラグ情報を、非同期状態であることを示す情報に更新する手段である。
【００４１】
再起動検知部４２から再起動通知が入力された場合、すなわち着側ＣＳＣＦ４０が再起動した場合、第１更新部４４はＶＬＲ４１に記憶されているフラグ情報をすべて「Not Confirmed」に更新する。例えば、ＶＬＲ４１が被分割プロファイルＡ，Ｂ，Ｃを記憶している場合、ＶＬＲ４１はこれら三つのプロファイルのそれぞれに関連付けられているフラグ情報をすべて「Not Confirmed」に更新する。再起動の方法によっては再起動後にＶＬＲ４１からプロファイルが消失する場合があるが、その場合は、第１更新部４４は結果的に何も処理を行わないことになる。
【００４２】
通知受信部４３から再起動通知が入力された場合、すなわちＡＳ５０又は着側ゲートウェイ６０が再起動した場合、第１更新部４４は入力された再起動通知からＡＳ５０又は着側ゲートウェイ６０のアドレス情報を抽出する。続いて、第１更新部４４は抽出されたＡＳアドレス情報又はゲートウェイアドレス情報を含む被分割プロファイルに関連付けられているフラグ情報を「Not Confirmed」に更新する。例えば、ＶＬＲ４１に記憶されている被分割プロファイルが図５に示すようなものであり、再起動通知にＡＳ５０のアドレス情報「ＡＳ１」が含まれていた場合、通知受信部４３は、ユーザ識別子が「ユーザＡ」及び「ユーザＢ」である被分割プロファイルのフラグ情報を「Not Confirmed」に更新する（図５参照）。
【００４３】
着信要求受信部４５は、発側ＣＳＣＦ３０から送信された着信要求信号を受信する手段である。着信要求受信部４５は、受信した信号を判定部に出力する。
【００４４】
判定部４６は、発信端末ＭＳからの着信要求信号を受け付けた場合に、その着信要求信号に含まれるユーザ識別子（着信端末情報）に対応する被分割プロファイルが同期しているか否かを、その被分割プロファイルと関連付けられているフラグ情報に基づいて判定する手段である。判定部４６は、着信要求受信部４５から着信要求信号が入力されると、その着信要求信号に基づく呼制御処理の前に、被分割プロファイルが同期しているか否かを判定する。
【００４５】
着信要求信号が入力されると、判定部４６はその着信要求信号から着信端末ＭＲのユーザ識別子を抽出し、そのユーザ識別子を含む被分割プロファイルがＶＬＲ４１に存在するか否かを判定する。このとき、そのような被分割プロファイルが存在しなければ、判定部４６は加入者データベース２０にアクセスし、抽出されたユーザ識別情報を含むプロファイルを仮プロファイルとして取得する。続いて、判定部４６はその仮プロファイルを位置取得部４７に出力する。続いて、判定部４６は、呼制御が実行不可であることを示す待ち信号を生成し、入力された着信要求信号と生成した待ち信号とを呼制御部４９に出力する。
【００４６】
これに対して、抽出したユーザ識別子を含む被分割プロファイルが存在する場合には、判定部４６はその被分割プロファイルに関連付けられているフラグ情報を検査する。このときフラグ情報が「Not Confirmed」であれば、判定部４６はその被分割プロファイルを位置取得部４７に出力し、被分割プロファイルが存在しなかった場合と同様に、着信要求信号及び待ち信号を呼制御部４９に出力する。一方、フラグ情報が「Confirmed」であれば、判定部４６は呼制御が実行可能であることを示す実行可能信号を生成し、入力された着信要求信号と実行可能信号とを呼制御部４９に出力する。
【００４７】
位置取得部４７は、判定部４６により着信端末ＭＲのユーザ識別子に対応する被分割プロファイルが同期していないと判定された場合に、その着信端末ＭＲの位置情報を取得する手段である。
【００４８】
位置取得部４７は、判定部４６から被分割プロファイル又は仮プロファイルが入力されると、入力された情報からゲートウェイアドレス情報を抽出することで、そのアドレス情報で示される着側ゲートウェイ６０を特定する。続いて、位置取得部４７は、着信端末ＭＲの位置情報を取得するために、入力された情報を含む位置取得要求信号を生成して着側ゲートウェイ６０に出力する。その後、位置取得部４７はその要求信号に応じて着側ゲートウェイ６０から送信されてきた位置信号を受信しＡＳ５０に転送する。位置信号の詳細は後述するが、この位置信号には着信端末ＭＲの現在位置を示す位置情報が含まれている。
【００４９】
第２更新部４８は、判定部４６により着信端末ＭＲのユーザ識別子に対応する被分割プロファイルが同期していないと判定された場合に、その着信端末のプロファイルを再取得する手段である。また、第２更新部４８は、再取得したプロファイルに基づいて、着信端末ＭＲに対応する被分割プロファイルを更新すると共に、その被分割プロファイルに対応するフラグ情報を同期状態であることを示す情報に更新する手段である。
【００５０】
第２更新部４８は、ＡＳ５０から送信された着信端末ＭＲのプロファイルを受信（再取得）し、ＶＬＲ４１に記憶するための被分割プロファイルを抽出する。続いて、第２更新部４８は抽出した被分割プロファイルとフラグ情報「Confirmed」を関連付けてＶＬＲ４１に記憶する。これにより、着側ＣＳＣＦ４０において着信端末ＭＲの被分割プロファイルが最新の情報に更新される。続いて、第２更新部４８は被分割プロファイルを呼制御部４９に出力すると共に、着信端末ＭＲのプロファイルを着側ゲートウェイ６０に転送する。
【００５１】
呼制御部４９は、第２更新部４８により更新された被分割プロファイルに基づいて、発信端末ＭＳと着信端末ＭＲとを通信接続するための呼制御を実行する手段である。
【００５２】
判定部４６から着信要求信号及び実行可能信号が入力された場合、呼制御部４９は上述したように着信処理を実行する。すなわち、呼制御部４９は、呼を確立できるか否かを判定し、呼を確立できると判定すれば着側ゲートウェイ６０に着信要求信号を転送する。一方、判定部４６から着信要求信号及び待ち信号が入力された場合、呼制御部４９は第２更新部４８から被分割プロファイルが入力されるのを待つ。そして、第２更新部４８から被分割プロファイルが入力されると、その被分割プロファイルに基づいて着信処理（呼制御処理）を実行する。このように、呼制御部４９は被分割プロファイルの同期が保証された後に着信処理を実行する。
【００５３】
続いて、図６を用いて、図１に示すＡＳ５０の機能構成を説明する。図６はＡＳ５０の機能構成を示す図である。
【００５４】
ＡＳ５０は、機能的構成要素としてＶＬＲ（記憶手段）５１、再起動検知部５２、通知受信部５３、第１更新部（第１更新手段）５４、位置取得部５５、第２更新部（再取得手段、第２更新手段）５６及びサービス制御部５７を備えている。
【００５５】
ＡＳ５０のハードウェイ構成は図４に示す着側ＣＳＣＦ４０と同様であり、ＡＳ５０の各機能がハードウェア上でどのように実現されるかも、着側ＣＳＣＦ４０について説明したことと同様である。
【００５６】
ＶＬＲ５１は、被分割プロファイルと、この被分割プロファイルが他の通信制御装置（着側ＣＳＣＦ４０及び着側ゲートウェイ６０）に記憶されている被分割プロファイルと同期しているか否かを示すフラグ情報とを関連付けて記憶する手段である。フラグ情報に設定される値の種類は着側ＣＳＣＦ４０の場合と同様である。
【００５７】
再起動検知部５２は、ＡＳ５０が再起動したことを通知する手段である。再起動検知部５２は、再起動を検知すると、再起動したことを示す再起動通知を生成して第１更新部５４に出力するとともに、着側ＣＳＣＦ４０及び着側ゲートウェイ６０にその再起動通知を送信する。着側ＣＳＣＦ４０及び着側ゲートウェイ６０に送信する再起動通知には、ＡＳ５０を識別するアドレス情報が含まれる。
【００５８】
通知受信部５３は、他の通信制御装置が再起動したことを示す再起動通知を該他の通信制御装置から受信する手段である。通知受信部５３は、着側ＣＳＣＦ４０又は着側ゲートウェイ６０から受信した再起動通知を第１更新部５４に出力する。
【００５９】
第１更新部５４は、複数の通信制御装置のうち一の通信制御装置が再起動した場合に、ＶＬＲ５１に記憶されているフラグ情報を、非同期状態であることを示す情報に更新する手段である。
【００６０】
再起動検知部５２から再起動通知が入力された場合、すなわちＡＳ５０が再起動した場合、第１更新部５４はＶＬＲ５１に記憶されているフラグ情報をすべて「Not Confirmed」に更新する。再起動の方法によっては再起動後にＶＬＲ５１からプロファイルが消失する場合があるが、その場合は、第１更新部５４は結果的に何も処理を行わないことになる。
【００６１】
通知受信部５３から再起動通知が入力された場合、すなわち着側ＣＳＣＦ４０又は着側ゲートウェイ６０が再起動した場合、第１更新部５４は入力された再起動通知から着側ＣＳＣＦ４０又は着側ゲートウェイ６０のアドレス情報を抽出する。続いて、第１更新部５４は抽出されたＣＳＣＦアドレス情報又はゲートウェイアドレス情報を含む被分割プロファイルに関連付けられているフラグ情報を「Not Confirmed」に更新する。
【００６２】
位置取得部５５は、着側ＣＳＣＦ４０の判定部４６により着信端末ＭＲのユーザ識別子に対応する被分割プロファイルが同期していないと判定された場合に、その着信端末ＭＲの位置情報を取得する手段である。
【００６３】
位置取得部５５は、着側ＣＳＣＦ４０から位置信号を受信すると、その位置信号を加入者データベース２０に転送することで、加入者データベース２０にプロファイルの更新を要求する。
【００６４】
第２更新部５６は、着側ＣＳＣＦ４０の判定部４６により着信端末ＭＲのユーザ識別子に対応する被分割プロファイルが同期していないと判定された場合に、その着信端末ＭＲのプロファイルを再取得する手段である。また、第２更新部５６は、再取得したプロファイルに基づいて、着信端末ＭＲに対応する被分割プロファイルを更新すると共に、その被分割プロファイルに対応するフラグ情報を、同期状態であることを示す情報に更新する手段である。
【００６５】
第２更新部５６は、位置取得部５５が送信した位置信号に応じて加入者データベース２０から送信された更新後のプロファイルを受信（再取得）する。言い換えれば、第２更新部５６は着信端末ＭＲの現在位置を示す位置情報を含むプロファイルを受信する。続いて、第２更新部５６は受信したプロファイルからＶＬＲ５１に記憶するための被分割プロファイルを抽出する。続いて、第２更新部５６は抽出した被分割プロファイルとフラグ情報「Confirmed」を関連付けてＶＬＲ５１に記憶する。これにより、ＡＳ５０において着信端末ＭＲの被分割プロファイルが最新の情報に更新される。続いて、第２更新部５６は受信したプロファイルを着側ＣＳＣＦ４０に転送する。
【００６６】
サービス制御部５７は、第２更新部５６により更新された被分割プロファイルに基づいて、発信端末ＭＳと着信端末ＭＲとを通信接続するための呼制御を実行する手段である。具体的には、サービス制御部５７は、上述したように着側ＣＳＣＦ４０から判定要求信号を受信すると、ＶＬＲ５１記憶されている被分割プロファイルに基づいてサービス判定結果を生成し着側ＣＳＣＦ４０に送信する。この処理は呼制御の一部である。
【００６７】
続いて、図７を用いて、図１に示す着側ゲートウェイ６０の機能構成を説明する。図７は着側ゲートウェイ６０の機能構成を示す図である。
【００６８】
着側ゲートウェイ６０は、機能的構成要素としてＶＬＲ（記憶手段）６１、再起動検知部６２、通知受信部６３、第１更新部（第１更新手段）６４、位置取得部６５、第２更新部（再取得手段、第２更新手段）６６及び無線制御部６７を備えている。
【００６９】
着側ゲートウェイ６０のハードウェイ構成は図４に示す着側ＣＳＣＦ４０と同様であり、着側ゲートウェイ６０の各機能がハードウェア上でどのように実現されるかも、着側ＣＳＣＦ４０について説明したことと同様である。
【００７０】
ＶＬＲ６１は、被分割プロファイルと、この被分割プロファイルが他の通信制御装置（着側ＣＳＣＦ４０及びＡＳ５０）に記憶されている被分割プロファイルと同期しているか否かを示すフラグ情報とを関連付けて記憶する手段である。フラグ情報に設定される値の種類は着側ＣＳＣＦ４０の場合と同様である。
【００７１】
再起動検知部６２は、着側ゲートウェイ６０が再起動したことを通知する手段である。再起動検知部６２は、再起動を検知すると、再起動したことを示す再起動通知を生成して第１更新部６４に出力するとともに、着側ＣＳＣＦ４０及びＡＳ５０にその再起動通知を送信する。着側ＣＳＣＦ４０及びＡＳ５０に送信する再起動通知には、着側ゲートウェイ６０を識別するアドレス情報が含まれる。
【００７２】
通知受信部６３は、他の通信制御装置が再起動したことを示す再起動通知を該他の通信制御装置から受信する手段である。通知受信部６３は、着側ＣＳＣＦ４０又はＡＳ５０から受信した再起動通知を第１更新部６４に出力する。
【００７３】
第１更新部６４は、複数の通信制御装置のうち一の通信制御装置が再起動した場合に、ＶＬＲ６１に記憶されているフラグ情報を、非同期状態であることを示す情報に更新する手段である。
【００７４】
再起動検知部６２から再起動通知が入力された場合、すなわち着側ゲートウェイ６０が再起動した場合、第１更新部６４はＶＬＲ６１に記憶されているフラグ情報をすべて「Not Confirmed」に更新する。再起動の方法によっては再起動後にＶＬＲ６１からプロファイルが消失する場合があるが、その場合は、第１更新部６４は結果的に何も処理を行わないことになる。
【００７５】
通知受信部６３から再起動通知が入力された場合、すなわち着側ＣＳＣＦ４０又はＡＳ５０が再起動した場合、第１更新部６４は入力された再起動通知から着側ＣＳＣＦ４０又はＡＳ５０のアドレス情報を抽出する。続いて、第１更新部６４は抽出されたＣＳＣＦアドレス情報又はＡＳアドレス情報を含む被分割プロファイルに関連付けられているフラグ情報を「Not Confirmed」に更新する。
【００７６】
位置取得部６５は、着側ＣＳＣＦ４０の判定部４６により着信端末ＭＲのユーザ識別子に対応する被分割プロファイルが同期していないと判定された場合に、その着信端末ＭＲの位置情報を取得する手段である。
【００７７】
位置取得部６５は、着側ＣＳＣＦ４０から位置取得要求信号を受信すると、着側ネットワークＮＲ内の基地局（図示せず）から着信端末ＭＲの現在位置を示す位置情報を取得する。続いて、位置取得部６５は取得した位置情報を含む位置信号を生成して着側ＣＳＣＦ４０に送信する。
【００７８】
第２更新部６６は、着側ＣＳＣＦ４０の判定部４６により着信端末ＭＲのユーザ識別子に対応する被分割プロファイルが同期していないと判定された場合に、その着信端末ＭＲのプロファイルを再取得する手段である。また、第２更新部６６は、再取得したプロファイルに基づいて、着信端末ＭＲに対応する被分割プロファイルを更新すると共に、その被分割プロファイルに対応するフラグ情報を、同期状態であることを示す情報に更新する手段である。
【００７９】
第２更新部６６は、位置取得部６５が送信した位置信号に応じて着側ＣＳＣＦ４０から送信された更新後のプロファイルを受信（再取得）し、ＶＬＲ６１に記憶するための被分割プロファイルを抽出する。続いて、第２更新部６６は抽出した被分割プロファイルとフラグ情報「Confirmed」を関連付けてＶＬＲ６１に記憶する。これにより、着側ゲートウェイ６０において着信端末ＭＲの被分割プロファイルが最新の情報に更新される。
【００８０】
無線制御部６７は、第２更新部６６により更新された被分割プロファイルに基づいて、発信端末ＭＳと着信端末ＭＲとを通信接続するための呼制御を実行する手段である。具体的には、無線制御部６７は、上述したように着側ＣＳＣＦ４０から着信要求信号を受信し、その着信要求信号とＶＬＲ６１に記憶されている被分割プロファイルとに基づいて、着側ネットワークＮＲを介して着信端末ＭＲを呼び出す。この処理は呼制御の一部である。
【００８１】
次に、図８〜１０を用いて、図１に示す呼制御システム１の処理を説明するとともに本実施形態に係る呼制御方法について説明する。図８は一の通信制御装置が再起動した際の処理を示すフローチャートである。図９はフラグ情報に基づく着信処理を示すフローチャートである。図１０は被分割プロファイルの同期処理を示すシーケンス図である。
【００８２】
まず、図８を用いて再起動時の処理を説明する。図８に示す処理は、着側ＣＳＣＦ４０、ＡＳ５０及び着側ゲートウェイ６０のそれぞれで行われる。ここでは、前提として、各通信処理装置が被分割プロファイルとフラグ情報「Confirmed」とを関連付けて記憶しているものとする（記憶ステップ）。
【００８３】
フラグ情報を「Not Confirmed」に更新する処理は、他の通信制御装置から再起動通知を受信するか自装置が再起動した場合に実行される。再起動通知を受信した場合には（ステップＳ１１；ＹＥＳ）、その通知から再起動した通信制御装置のアドレス情報が抽出され、そのアドレス情報を含む被分割プロファイルに関連付けられているフラグ情報が「Not Confirmed」に更新される（ステップＳ１４、第１更新ステップ）。自装置が再起動した場合には（ステップＳ１２；ＹＥＳ）、自装置のアドレス情報を含む再起動通知が他の通信制御装置に送信されると共に（ステップＳ１３）、フラグ情報が「Not Confirmed」に更新される（ステップＳ１４）。
【００８４】
次に、図９を用いて着信処理を説明する。着側ＣＳＣＦ４０の着信要求受信部４５により着信要求信号が受信されると（ステップＳ２１）、判定部４６において着信端末ＭＲの被分割プロファイルが存在するか否かが判定される（ステップＳ２２）。ここで、被分割プロファイルが存在すれば（ステップＳ２２；ＹＥＳ）、そのプロファイルに関連付けられているフラグ情報が検査される（ステップＳ２３、判定ステップ）。このとき、フラグ情報が「Confirmed」であれば（ステップＳ２３；ＹＥＳ）、上述した着側ＣＳＣＦ４０、ＡＳ５０及び着側ゲートウェイ６０の協働により着信処理が実行される（ステップＳ２８）。
【００８５】
以上に対して、着信端末ＭＲの被分割プロファイルが存在しない場合には（ステップＳ２２；ＮＯ）、判定部４６が加入者データベース２０から仮プロファイルを取得する（ステップＳ２４）。そして、仮プロファイルを取得した後、又は、被分割プロファイルに関連付けられているフラグ情報が「Not Confirmed」である場合（ステップＳ２３；ＮＯ）には、着側ＣＳＣＦ４０の位置取得部４７からの位置取得要求信号に基づいて着側ゲートウェイ６０の位置取得部６５が着信端末ＭＲの位置情報を取得する（ステップＳ２５）。
【００８６】
その後、加入者データベース２０内に記憶されているプロファイルが取得された位置情報に基づいて更新される（ステップＳ２６）。続いて、着側ＣＳＣＦ４０、ＡＳ５０及び着側ゲートウェイ６０のそれぞれにおいて、着信端末ＭＲの被分割プロファイルが最新のプロファイル（再取得されたプロファイル）に基づいて更新されると共にその被分割プロファイルに関連付けられるフラグ情報が「Confirmed」に更新される（ステップＳ２７、再取得ステップ、第２更新ステップ）。このような処理により各通信制御装置の被分割プロファイルが同期した後に、着信処理が実行される（ステップＳ２８）。
【００８７】
次に、図１０を用いて、被分割プロファイルの同期処理を説明する。着側ＣＳＣＦ４０から着側ゲートウェイ６０に位置取得要求信号が送信されると（ステップＳ３１）、着側ゲートウェイ６０において着信端末ＭＲの位置情報が取得され（ステップＳ３２）、取得された位置情報を含む位置信号が着側ゲートウェイ６０から着側ＣＳＣＦ４０及びＡＳ５０を経由して加入者データベース２０に送信される（ステップＳ３３）。続いて、加入者データベース２０において、着信端末ＭＲのプロファイルが着信端末ＭＲの位置情報に基づいて更新される（ステップＳ３４）。
【００８８】
続いて、更新されたプロファイルが加入者データベース２０から送信され、ＡＳ５０により受信（再取得）される（ステップＳ３５、再取得ステップ）。続いて、ＡＳ５０において、着信端末ＭＲの被分割プロファイルが更新されると共にその被分割プロファイルに関連付けられたフラグ情報が「Confirmed」に更新される（ステップS３６、第２更新ステップ）。その後、上記ステップＳ３５，Ｓ３６と同様の処理が着側ＣＳＣＦ４０及び着側ゲートウェイ６０において実行され（ステップＳ３７〜４０、再取得ステップ、第２更新ステップ）、これにより着信端末ＭＲの被分割プロファイルが各通信制御装置において更新される。そして最後に、更新後の被分割プロファイルに基づいて着信処理が実行される（ステップＳ４１）。
【００８９】
以上説明したように、本実施形態によれば、着信要求信号を受信した際に被分割プロファイルの整合性を検査し、整合性が取れていなければ着信端末ＭＲの最新のプロファイルに基づいてすべての被分割プロファイルを更新し、更に整合性を保証することで、分散配置されたプロファイルを、その整合性を取りつつ復旧することが可能になる。
【００９０】
また、本実施形態では、被分割プロファイルの同期が取れて初めて着信処理（呼制御処理）が実行されるので、プロファイルを復旧するだけでなく、更に着信要求を救済すること（呼損を回避すること）が可能になる。
【００９１】
以上、本発明をその実施形態に基づいて詳細に説明した。しかし、本発明は上記実施形態に限定されるものではない。本発明は、その要旨を逸脱しない範囲で以下のような様々な変形が可能である。
【００９２】
上記実施形態では、着側ＣＳＣＦ４０とＡＳ５０と着側ゲートウェイ６０との間で被分割プロファイルの同期処理を行ったが、上述した同期処理を行う通信制御装置の台数は３台に限定されず、複数であれば何台でもよい。また、通信制御装置の種類も限定されない。
【００９３】
上記実施形態では呼制御システム１が携帯電話機間の呼制御を実行したが、呼制御システム１に含まれる通信端末の種類は限定されない。例えば、呼制御システム１はＩＰ電話機間の呼制御や携帯電話機とＩＰ電話機との間の呼制御を実行してもよい。
【００９４】
上記実施形態では、着側ゲートウェイ６０が取得した位置情報に基づいて加入者データベース２０がプロファイルを更新し、更新されたプロファイルに基づいて被分割プロファイル及びフラグ情報が更新されたが、被分割プロファイル及びフラグ情報の更新方法はこれに限定されない。
【００９５】
具体的には、着側ゲートウェイ６０が、着信端末ＭＲや着側ネットワークＮＲ内の通信装置に問合せをすることなく、着側ＣＳＣＦ４０及びＡＳ５０を介して加入者データベース２０に着信端末ＭＲのプロファイルを要求する。続いて、加入者データベース２０がその要求に対して送信したプロファイルをＡＳ５０、着側ＣＳＣＦ４０及び着側ゲートウェイ６０が受信（再取得）する。続いて、これらの通信制御装置が、受信したプロファイルに基づいて被分割プロファイルを更新し、フラグ情報を「Confirmed」に更新する。
【００９６】
このように、コアネットワークＮＣ内の各通信制御装置が、着信端末ＭＲや着側ネットワークＮＲにアクセスすることなく、コアネットワークＮＣ（加入者データベース２０）内に記憶されているプロファイルを再取得して被分割プロファイル及びフラグ情報を更新してもよい。この場合、プロファイルの再取得がコアネットワークＮＣ内の通信のみで実行されるので、より短時間でプロファイルを復旧できる。
【図面の簡単な説明】
【００９７】
【図１】実施形態に係る呼制御システムの全体構成を示す図である。
【図２】プロファイルの分散配置を示す図である。
【図３】図１に示す着側ＣＳＣＦの機能構成を示す図である。
【図４】図３に示す着側ＣＳＣＦのハードウェア構成を示す図である。
【図５】被分割プロファイルの更新例を示す図である。
【図６】図１に示すＡＳの機能構成を示す図である。
【図７】図１に示す着側ゲートウェイの機能構成を示す図である。
【図８】一の通信制御装置が再起動した際の処理を示すフローチャートである。
【図９】フラグ情報に基づく着信処理を示すフローチャートである。
【図１０】被分割プロファイルの同期処理を示すシーケンス図である。
【符号の説明】
【００９８】
１…呼制御システム、４０…着側ＣＳＣＦ（通信制御装置）、４１…ＶＬＲ（記憶手段）、４２…再起動検知部、４３…通知受信部、４４…第１更新部（第１更新手段）、４５…着信要求受信部（受信手段）、４６…判定部（判定手段）、４７…位置取得部、４８…第２更新部（再取得手段、第２更新手段）、４９…呼制御部（呼制御手段）、５０…ＡＳ（通信制御装置）、５１…ＶＬＲ（記憶手段）、５２…再起動検知部、５３…通知受信部、５４…第１更新部（第１更新手段）、５５…位置取得部、５６…第２更新部（再取得手段、第２更新手段）、５７…サービス制御部、６０…着側ゲートウェイ（通信制御装置）、６１…ＶＬＲ（記憶手段）、６２…再起動検知部、６３…通知受信部、６４…第１更新部（第１更新手段）、６５…位置取得部、６６…第２更新部（再取得手段、第２更新手段）、６７…無線制御部、ＭＲ…携帯電話機（着信端末）、ＭＳ…携帯電話機（発信端末）、ＮＣ…コアネットワーク、ＮＲ…着側ネットワーク（アクセスネットワーク）、ＮＳ…発側ネットワーク
【図１】
0005078661.tif 000002
【図２】
0005078661.tif 000003
【図３】
0005078661.tif 000004
【図４】
0005078661.tif 000005
【図５】
0005078661.tif 000006
【図６】
0005078661.tif 000007
【図７】
0005078661.tif 000008
【図８】
0005078661.tif 000009
【図９】
0005078661.tif 000010
【図１０】
0005078661.tif 000011